(57)【要約】【課題】接点部を保護する。【解決手段】端子金具１２は、角筒状の本体部１３と、本体部１３の外面から突出して回路基板３４に接触する接点部１６と、本体部１３の後端に連なって電線２８を圧着させる圧着部１４とを備える。端子金具１２は、キャリア１１に対し、圧着部１４の基板部１７を面一状に連結させることで連鎖端子１０を構成する。本体部１３は、基板部１７と前後に並ぶ第１板部２２と、第１板部２２と略直角をなす第２板部２３とを備え、接点部１６は、第２板部２３の外面から突出するように配されている。【選択図】図１
2017054589.tif 000002
【特許請求の範囲】
【請求項１】
角筒状の本体部と、
前記本体部の外面から突出して回路基板に接触する接点部と、
前記本体部の後端に連なって電線を圧着させる圧着部とを備え、
キャリアに対し、前記圧着部の基板部を面一状に連結させることで連鎖端子を構成する端子金具であって、
前記本体部が、前記基板部と前後に並ぶ第１板部と、前記第１板部と略直角をなす第２板部とを備え、
前記接点部が、前記第２板部の外面から突出するように配されていることを特徴とする端子金具。
【請求項２】
角筒状の本体部と、前記本体部の後端に連なって電線を圧着させる圧着部とを有する端子金具と、
前記圧着部の基板部が面一状に連結されたキャリアとを備えた連鎖端子であって、
前記本体部が、前記基板部と前後に並ぶ第１板部と、前記第１板部と略直角をなす第２板部とを備え、
回路基板に接触する接点部が、前記第２板部の外面から突出するように設けられていることを特徴とする連鎖端子。
【発明の詳細な説明】
【技術分野】
【０００１】
本発明は、端子金具及び連鎖端子に関するものである。
【背景技術】
【０００２】
特許文献１には、カードエッジコネクタを構成する端子金具が開示されている。端子金具の前端部には角筒状の本体部が形成され、本体部の外面には接点部が形成されている。端子金具の後端部に形成したオープンバレル状の圧着部には電線が導通可能に接続されている。端子金具が取り付けられるハウジング内には、回路基板を収容するための基板収容空間が形成されている。接点部は、基板収容空間内に挿入された回路基板に接触するため、本体部の外面から突出した形態となっている。
【０００３】
この種の端子金具の製造工程では、並列配置された複数の端子金具が、細長い帯状のキャリアを介して連結されることにより連鎖端子を構成している。キャリアの側縁部には圧着部の後端が連なっている。尚、特許文献２には、連鎖端子の一例が開示されている。連鎖端子はアプリケータへ移送される。アプリケータでは、端子金具がキャリアから切り離されて、圧着部に電線が圧着される。
【先行技術文献】
【特許文献】
【０００４】
【特許文献１】特開２０１４−２０３６３４号公報
【特許文献２】特開２０１２−０５４２１７号公報
【発明の概要】
【発明が解決しようとする課題】
【０００５】
アプリケータへ移送される前の連鎖端子は、リールに巻き付けられたフープ状となっている。連鎖端子をリールに巻き付ける際には、内周側の端子金具と外周側の端子金具との間に、双方の端子金具同士の干渉を防止する手段として、層間紙を介在させている。
【０００６】
特許文献１に記載された端子金具は、本体部を構成する４枚の外周板部のうち接点部が突出している基板部と、圧着部を構成する底板部とが、前後に並ぶように配されている。圧着部の底板部はキャリアと面一状に繋がっているので、連鎖端子をフープ状に巻き付けると、底板部が層間紙と重なる。そして、接点部は、径方向に突出する形態となり、層間紙と接触する。そのため、層間紙を介して接点部に異物が付着したり、接点部が、層間紙を介して他の端子金具と干渉して不正な変形を来す等の不具合が懸念される。
【０００７】
本発明は上記のような事情に基づいて完成されたものであって、接点部を保護することを目的とする。
【課題を解決するための手段】
【０００８】
第１の発明の端子金具は、
角筒状の本体部と、
前記本体部の外面から突出して回路基板に接触する接点部と、
前記本体部の後端に連なって電線を圧着させる圧着部とを備え、
キャリアに対し、前記圧着部の基板部を面一状に連結させることで連鎖端子を構成する端子金具であって、
前記本体部が、前記基板部と前後に並ぶ第１板部と、前記第１板部と略直角をなす第２板部とを備え、
前記接点部が、前記第２板部の外面から突出するように配されているところに特徴を有する。
【０００９】
第２の発明の連鎖端子は、
角筒状の本体部と、前記本体部の後端に連なって電線を圧着させる圧着部とを有する端子金具と、
前記圧着部の基板部が面一状に連結されたキャリアとを備えた連鎖端子であって、
前記本体部が、前記基板部と前後に並ぶ第１板部と、前記第１板部と略直角をなす第２板部とを備え、
回路基板に接触する接点部が、前記第２板部の外面から突出するように設けられているところに特徴を有する。
【発明の効果】
【００１０】
接点部は、圧着部の基板部及びキャリアに対し略直角の向きとなる第２板部から突出している。したがって、連鎖端子を層間紙と共にフープ状に巻き付けた状態では、接点部の突出方向が、径方向ではなく周方向となる。これにより、層間紙を介して接点部に異物が付着したり、接点部が、層間紙を介して他の端子金具と干渉したりする虞がなくなるので、接点部を保護することができる。
【図面の簡単な説明】
【００１１】
【図１】実施例１の端子金具の斜視図
【図２】端子金具をハウジングに取り付けた状態をあらわす断面図
【図３】連鎖端子をフープ状に巻き付けた状態をあらわす正面図
【図４】端子金具の展開図
【図５】連鎖端子の平面図
【発明を実施するための形態】
【００１２】
＜実施例１＞
以下、本発明を具体化した実施例１を図１〜図５を参照して説明する。本実施例の連鎖端子１０は、所定形状に打ち抜いた金属板材に曲げ加工等を施して成形されたものであり、１本の細長い帯状をなすキャリア１１と、並列配置した複数の端子金具１２とからなる。複数の端子金具１２は、キャリア１１の側縁部からキャリア１１の長さ方向ち略直角に延出した形態となっている。
【００１３】
端子金具１２は、所定形状に打ち抜いた金属板材に曲げ加工を施すことにより、全体として前後方向に細長い形状に成形されたものである。端子金具１２の前端部には、角筒状の本体部１３が形成され、端子金具１２の後端部には、オープンバレル状の圧着部１４が形成されている。本体部１３の後端と圧着部１４の前端とは、連結部１５によって前後に並ぶように連結されている。端子金具１２は、カードエッジコネクタ３１を構成するものであり、本体部１３の外面からは、回路基板３４に対して弾性的に接触する接点部１６が突出している。
【００１４】
図１，４，５に示すように、圧着部１４は、前後方向に細長い基板部１７と、左右対称な一対の第１カシメ片１８と、左右非対称な一対の第２カシメ片１９とから構成されている。第１カシメ片１８は、基板部１７における前端側領域の左右両側縁から延出し、第２カシメ片１９は、基板部１７における後端側領域の左右両側縁から延出している。連鎖端子１０で、基板部１７の後端部が、キャリア１１に対し面一状に連なっている。
【００１５】
基板部１７と第１カシメ片１８はワイヤバレル部２０を構成し、基板部１７と第２カシメ片１９はインシュレーションバレル部２１を構成する。圧着部１４には、アプリケータ（図示省略）における圧着工程により、電線２８の前端部が導通可能に固着される。即ち、図２に示すように、ワイヤバレル部２０には、電線２８の前端部のうち絶縁被覆２９を除去して露出させた導体３０が固着される。インシュレーションバレル部２１には、絶縁被覆２９の前端部が固着される。
【００１６】
本体部１３は、連結部１５を介して圧着部１４の基板部１７と前後に並ぶように配される第１板部２２と、第１板部２２の一方の側縁から略直角に延出する第２板部２３とを備える。第２板部２３の前端部には、略方形に切欠した形態の開口部２４が形成されている。第２板部２３の後端部における第１板部２２とは反対側の側縁には、前後方向に細長い弾性撓み部２５の後端部の側縁が連なっている。弾性撓み部２５は、第２板部２３の内面に沿うように配されている。弾性撓み部２５の前端部には、曲げ加工することによって所定形状の接点部１６が形成されている。接点部１６は、第２板部２３に形成されている開口部２４から本体部１３の外部へ突出している。
【００１７】
本体部１３は、第３板部２６と、第４板部２７とを備えている。第３板部２６は、第１板部２２における第２板部２３とは反対側の側縁から略直角に延出し、第２板部２３と略平行に対向している。弾性撓み部２５は、第２板部２３と第３板部２６との間で左右方向に挟まれるように位置する。第４板部２７は、第３板部２６の延出端縁から略直角に延出し、第１板部２２と略平行に対向する。本体部１３は、第１板部２２、第２板部２３、第３板部２６及び第４板部２７により、角筒状に構成されている。
【００１８】
接点部１６が突出している第２板部２３は、圧着部１４の基板部１７とは略直角をなしている。連鎖端子１０において基板部１７はキャリア１１と面一状に連なっている。したがって、接点部１６の突出方向は、キャリア１１及び基板部１７の板面に沿った向きとなる。連鎖端子１０をリール（図示省略）に巻き付けてフープ状にすると、キャリア１１の板面と基板部１７の板面が周方向に沿った向きとなる。したがって、接点部１６は、本体部１３から周方向に突出することになる。
【００１９】
連鎖端子１０をフープ状に巻き付ける際には、外周側の端子金具１２と内周側の端子金具１２との間に、双方の端子金具１２が直接的に接触するのを防止するために細長い層間紙３５が介装される。層間紙３５は、端子金具１２の本体部１３のうちキャリア１１及び基板部１７と略平行をなす第１板部２２と第４板部２７には接触するが、第２板部２３と第３板部２６には接触することはない。第２板部２３の外面の開口部２４からは、接点部１６が突出しているが、接点部１６の突出方向は、径方向ではなく、周方向である。したがって、接点部１６も層間紙３５と直接的に接触する虞はない。
【００２０】
連鎖端子１０は、リールから引き出されてアプリケータへ移送され、アプリケータでは、端子金具１２がキャリア１１から切り離されるとともに、圧着部１４に電線２８が固着される。これにより、電線２８が接続された状態の端子金具１２が製造される。製造された端子金具１２は、カードエッジコネクタ３１のハウジング３２内に取り付けられる。図２に示すように、ハウジング３２内には、回路基板３４を収容するためのスリット状の基板収容空間３３が形成されている。ハウジング３２内では、複数の端子金具１２が、基板収容空間３３を挟むように上段側と下段側とに分かれて配置される。
【００２１】
上段側の端子金具１２は、その接点部１６が下方へ突出して基板収容空間３３内に臨むような向きで取り付けられる。下段側の端子金具１２は、その接点部１６が上方へ突出して基板収容空間３３内に臨むような向きで取り付けられる。基板収容空間３３に回路基板３４が挿入されると、上段側の接点部１６と下段側の接点部１６が、回路基板３４に対し上下に挟むように弾性接触する。
【００２２】
本実施例の端子金具１２は、角筒状の本体部１３と、本体部１３の外面から突出して回路基板３４に接触する接点部１６と、本体部１３の後端に連なって電線２８を圧着させる圧着部１４とを備えている。端子金具１２は、キャリア１１に対し、圧着部１４の基板部１７を面一状に連結させることで連鎖端子１０を構成する。そして、本体部１３は、基板部１７と前後に並ぶ第１板部２２と、第１板部２２と略直角をなす第２板部２３とを備えており、接点部１６は、第２板部２３の外面から突出するように配されている。
【００２３】
また、本実施例の連鎖端子１０は、角筒状の本体部１３と、本体部１３の後端に連なって電線２８を圧着させる圧着部１４とを有する端子金具１２と、圧着部１４の基板部１７が面一状に連結されたキャリア１１とを備えて構成されている。そして、本体部１３は、基板部１７と前後に並ぶ第１板部２２と、第１板部２２と略直角をなす第２板部２３とを備え、回路基板３４に接触する接点部１６が、第２板部２３の外面から突出するように設けられている。
【００２４】
もし、連鎖端子１０をフープ状に巻き付けた状態において、接点部１６が径方向に突出する形態であったとすると、接点部１６が層間紙３５と接触することになる。この場合、層間紙３５を介して接点部１６に異物が付着したり、接点部１６が、層間紙３５を介して他の端子金具１２と干渉して不正な変形を来す等の不具合が懸念される。しかし、本実施例の端子金具１２及び連鎖端子１０においては、接点部１６が、圧着部１４の基板部１７及びキャリア１１に対し略直角の向きとなる第２板部２３から突出している。したがって、連鎖端子１０を層間紙３５と共にフープ状に巻き付けた状態では、接点部１６の突出方向が、径方向ではなく周方向となる。これにより、層間紙３５を介して接点部１６に異物が付着したり、接点部１６が、層間紙３５を介して他の端子金具１２と干渉したりする虞がなくなるので、接点部１６を保護することができる。
【００２５】
＜他の実施例＞
本発明は上記記述及び図面によって説明した実施例に限定されるものではなく、例えば次のような実施例も本発明の技術的範囲に含まれる。
（１）上記実施例では、第１板部と第２板部が直接的に連なっているが、第１板部と第２板部は直接的に連なっていなくてもよい。
（２）上記実施例では、端子金具が回路基板の表裏両面と対向するように配置されているが、端子金具は、回路基板の表裏いずれか一方の面のみと対向するように配置されていてもよい。
【符号の説明】
【００２６】
１０…連鎖端子
１１…キャリア
１２…端子金具
１３…本体部
１４…圧着部
１６…接点部
１７…基板部
２２…第１板部
２３…第２板部
２８…電線
３４…回路基板
【図１】
2017054589.tif 000003
【図２】
2017054589.tif 000004
【図３】
2017054589.tif 000005
【図４】
2017054589.tif 000006
【図５】
2017054589.tif 000007